(57)【要約】    【課題】  開閉何れの状態でも自立し得、開閉作業が容易で、相対する起立体が開いた状態で安定的に自立し得る。    【解決手段】  両縦脚部Ｆ１の上端部を水平部Ｆ２で水平方向に離隔して連結した逆Ｕ字状起立体Ｆ一対を、対応する縦脚部Ｆ１で、開閉支持機構Ｏを介し連結する。縦脚部Ｆ１の上部に、相対する上方横材Ｕの各外端部を回動可能に連結し、その各縦脚部Ｆ１の下端付近に、相対する下方横材Ｌの各外端部、及び相対する斜材Ｄの各外端部を、それぞれ回動可能に連結する。中間縦材Ｖの把手状部Ｖ２に、相対する上方横材Ｕの各内端部を回動可能に連結し、中間縦材Ｖの下部Ｖ１に、相対する下方横材Ｌの各内端部を回動可能に連結する。スライダＳを中間縦材Ｖの円筒部Ｖ３に上下摺動可能に外嵌し、スライダＳに、相対する斜材Ｄの各内端部を回動可能に連結する。両水平部Ｆ２に設けられたフックＦａにより収容袋Ｇの開口部を支持する。【選択図】      図１
2005153667.tif 000002
【特許請求の範囲】
【請求項１】
開閉可能な相対する起立体を備え、開閉何れの状態においても支持面上に自立し得る、開閉自立体であって、
相対する上方横材、相対する下方横材、相対する斜材、中間縦材、及びスライダを有してなる開閉支持機構を備えており、
前記相対する起立体のそれぞれにおける開閉支持機構連結部に対し、前記相対する上方横材の各外端部が回動可能に連結されると共に、それらの上方横材の下方において、前記相対する下方横材の各外端部、及び前記相対する斜材の各外端部が、回動可能に連結され、
前記中間縦材の上部に、前記相対する上方横材の各内端部が回動可能に連結されると共に、前記中間縦材の下部に、前記相対する下方横材の各内端部が回動可能に連結され、
前記中間縦材に対し上下摺動可能に保持されたスライダに、前記相対する斜材の各内端部が回動可能に連結され、
前記中間縦材の上部又は前記上方横材の各内端部にスライダ当接部を有し、
前記相対する起立体が開いた状態においては、相対する上方横材及び相対する下方横材がそれぞれ拡開した横方向姿勢をとると共に、相対する斜材は各外端部から各内端部に向かい内向きに斜め上を向く姿勢をとり、前記スライダは前記スライダ当接部に上向きに当接するものであり、
前記相対する起立体が閉じることにより、相対する上方横材及び相対する下方横材はそれぞれ各内端部が上昇して閉じた状態の縦方向姿勢をとると共に中間縦材が上方へ移動し、相対する斜材は各内端部が上昇して閉じた縦方向姿勢をとると共にスライダが上昇するが、中間縦材に対するスライダの相対位置は下降することを特徴とする開閉自立体。
【請求項２】
上記相対する各起立体が、水平方向に離隔した複数の開閉支持機構連結部を備え、水平方向に離隔した開閉支持機構連結部毎に、対応する開閉支持機構における上方横材の各外端部が回動可能に連結されると共に、それらの上方横材の下方において、相対する下方横材の各外端部、及び相対する斜材の各外端部が、回動可能に連結された請求項１記載の開閉自立体。
【請求項３】
相対する起立体が開いた状態において、相対する上方横材と相対する下方横材のうち一方又は両方が、水平方向姿勢をとるか又は外端部から内端部に向かってやや下降傾斜した姿勢をとる請求項１又は２記載の開閉自立体。
【請求項４】
上方横材及び下方横材がそれぞれ起立体に対し水平方向と上向きとの間で回動することを許容する状態で、上方横材及び下方横材を各外端部においてそれぞれ水平方向に支持し得る支持部を有する請求項１、２又は３記載の開閉自立体。
【請求項５】
起立体の下端部に車輪を備え、起立体が車輪において支持面上に自立して車輪の回動により走行し得る請求項１乃至４の何れかに記載の開閉自立体。
【請求項６】
請求項１乃至５の何れかに記載の開閉自立体に収容袋が支持されてなる収容カート。
【発明の詳細な説明】
【技術分野】
【０００１】
本発明は、オフィスビル、公共施設、ホテル、病院等の様々な施設の清掃作業に伴うゴミ回収・運搬やホテル、病院等における使用済みのシーツ・タオル等の回収・運搬に用いる回収袋支持カート等の収容カート及びその収容カート等を構成し得る開閉自立体に関する。
【背景技術】
【０００２】
登録実用新案第３０１７６９１号公報（特許文献）には、一対のパイプを間隔をおいて平行状に配置してなるフレーム本体が相対して平行状に立設され、各フレーム本体に棒状の支持部が構成され、各支持部にスライドパイプが取付けられ、２本の棒状材を中心部で軸着して、ほぼ１本の棒状に折りたたむことと、Ｘ字形状に開くことが可能な伸縮連結材が設けられ、この伸縮連結材の各棒状材の一端が各支持部の端部に軸着されて、各棒状材の他端部が各スライドパイプに軸着され、スライドパイプの一部を貫通して支持部の表面に接する円板状の偏心カムがスライドパイプに軸着されて、その偏心カムにハンドルが突設され、ハンドルによる偏心カムの回転でスライドパイプを支持部に固定またはスライド可能にすることができる折りたたみフレームの発明が記載されている。支持部同士の下部は、折曲可能な棚材により連結され、使用時には水平状に伸び、折り畳み時には中央折曲部が上昇して二つ折り状態となる。
【０００３】
この折りたたみフレームによれば、スライドパイプを支持部に固定可能であるため、フレーム本体の安定性を高くして、カートや棚などに使用することが可能である。
【０００４】
しかしながら、折り畳み及び使用の際に偏心カムを操作する必要があり、而も、折り畳む際には、支持部同士の下部を連結する折曲可能な棚材を蹴り上げて折曲可能な状態とした後、支持部同士を両側から押圧しなければならず、折り畳み及び使用の作業に煩雑な点があった。
【特許文献１】登録実用新案第３０１７６９１号公報
【発明の開示】
【発明が解決しようとする課題】
【０００５】
本発明は、従来技術に存した上記のような課題に鑑み行われたものであって、その目的とするところは、開閉何れの状態においても支持面上に自立し得、開閉作業が容易であり、相対する起立体が開いた状態において安定的に自立状態を維持し得る開閉自立体及び収容カートを提供することにある。
【課題を解決するための手段】
【０００６】
上記目的を達成する本発明の開閉自立体は、
開閉可能な相対する起立体を備え、開閉何れの状態においても支持面上に自立し得る、開閉自立体であって、
相対する上方横材、相対する下方横材、相対する斜材、中間縦材、及びスライダを有してなる開閉支持機構を備えており、
前記相対する起立体のそれぞれにおける開閉支持機構連結部に対し、前記相対する上方横材の各外端部が回動可能に連結されると共に、それらの上方横材の下方において、前記相対する下方横材の各外端部、及び前記相対する斜材の各外端部が、回動可能に連結され、
前記中間縦材の上部に、前記相対する上方横材の各内端部が回動可能に連結されると共に、前記中間縦材の下部に、前記相対する下方横材の各内端部が回動可能に連結され、
前記中間縦材に対し上下摺動可能に保持されたスライダに、前記相対する斜材の各内端部が回動可能に連結され、
前記中間縦材の上部又は前記上方横材の各内端部にスライダ当接部を有し、
前記相対する起立体が開いた状態においては、相対する上方横材及び相対する下方横材がそれぞれ拡開した横方向姿勢をとると共に、相対する斜材は各外端部から各内端部に向かい内向きに斜め上を向く姿勢をとり、前記スライダは前記スライダ当接部に上向きに当接するものであり、
前記相対する起立体が閉じることにより、相対する上方横材及び相対する下方横材はそれぞれ各内端部が上昇して閉じた状態の縦方向姿勢をとると共に中間縦材が上方へ移動し、相対する斜材は各内端部が上昇して閉じた状態の縦方向姿勢をとると共にスライダが上昇するが、中間縦材に対するスライダの相対位置は下降することを特徴とする。
【０００７】
本発明の収容カートは、この開閉自立体に収容袋が支持されてなるものである。
【０００８】
相対する起立体を開いて自立させた場合、開閉支持機構における相対する上方横材及び相対する下方横材がそれぞれ拡開した横方向姿勢をとると共に、相対する斜材が各外端部から各内端部に向かって斜め上を向く姿勢をとる。上方横材の各内端部が上部に連結され、下方横材の各内端部が下部に連結されている中間縦材は縦方向姿勢をとる。
【０００９】
内上方に傾斜する斜材の各内端部が連結されたスライダはスライダ当接部に上向きに当接して中間縦材の上部又は上方横材の各内端部を上向きに支持する。そのため、起立体の傾斜並びに上方横材及び下方横材の各内端部の下降が防がれる。また、上方横材及び下方横材がそれぞれ横方向姿勢をとるため、それらの内端部は、相対する起立体同士を両側から押圧しても容易に上昇しない。そのため、開閉自立体は相対する起立体が開いて安定的に自立した状態を維持し得る。
【００１０】
相対する起立体が開いて自立した状態において、中間縦材の上部を引き上げれば、開閉自立体を閉じることができる。中間縦材の上部を引き上げることにより、相対する上方横材及び相対する下方横材は、それらの各内端部が上方へ引き上げられて上向きに回動し、互いに閉じた状態の縦方向姿勢をとる。それと共に、斜材も各内端部が上昇して上向きに回動し、閉じた状態の縦方向姿勢をとり且つスライダが上昇する。尤も、スライダの上昇度合いは上方横材及び下方横材の内端部の上昇に比し小さい。従って、中間縦材に対するスライダの相対位置は下降することになる。これにより、開閉自立体は閉じた状態となる。
【００１１】
或いは、相対する起立体が開いて自立した状態において、下方横材の内端部付近又は中間縦材の下部を蹴り上げ（又は押し上げ）て相対する起立体同士を両側から押圧することによっても、開閉自立体を閉じることができる。下方横材の内端部付近又は中間縦材の下部を蹴り上げ（又は押し上げ）ることにより、中間縦材を介して上方横材及び下方横材の各内端部が連動して上昇し、上方横材及び下方横材は上向きに回動し易くなる。次いで相対する起立体同士を両側から押圧することにより上方横材及び下方横材が上向きに回動して縦方向姿勢をとると共に、斜材も各内端部が上昇して上向きに回動して縦方向姿勢をとり且つスライダが上昇し、開閉自立体は閉じた状態となる。従って、開閉自立体を閉じる場合、中間縦材の上部を引き上げるか、下方横材の内端部付近又は中間縦材の下部を蹴り上げ（又は押し上げ）るかを、操作者との位置関係等に応じ適宜選択し得る。
【００１２】
本発明の開閉自立体は、上記相対する各起立体が、水平方向に離隔した複数の開閉支持機構連結部を備え、水平方向に離隔した開閉支持機構連結部毎に、対応する開閉支持機構における上方横材の各外端部が回動可能に連結されると共に、それらの上方横材の下方において、相対する下方横材の各外端部、及び相対する斜材の各外端部が、回動可能に連結されたものとすることができる。この場合、相対する各起立体における水平方向に離隔した開閉支持機構連結部毎に開閉支持機構が連結されて支持されているので、相対する起立体が開いた状態において、より安定的に自立状態を維持し得る。
【００１３】
本発明の開閉自立体は、相対する起立体が開いた状態において、相対する上方横材と相対する下方横材のうち一方又は両方が、水平方向姿勢をとるか又は外端部から内端部に向かってやや下降傾斜（例えば俯角１０度未満）した姿勢をとるものとすることができる。好ましくは水平方向姿勢である。
【００１４】
この場合、上方横材及び下方横材が水平方向姿勢をとるか又は外端部から内端部に向かってやや下降傾斜した姿勢をとるため、それらの内端部は、相対する起立体同士を両側から押圧しても上昇し難い。そのため、開閉自立体は相対する起立体が開いてより安定的に自立した状態を維持し得る。
【００１５】
また本発明の開閉自立体は、上方横材及び下方横材がそれぞれ起立体に対し水平方向と上向きとの間で回動することを許容する状態で、上方横材及び下方横材を各外端部においてそれぞれ水平方向に支持し得る支持部を有するものとすることができる。
【００１６】
この場合、相対する起立体が開いて自立した状態において、上方横材及び下方横材が水平方向に支持されるので、開閉自立体は相対する起立体が開いてより安定的に自立した状態を維持し得る。
【００１７】
本発明における開閉自立体としては、起立体の下端部に車輪（好ましくは自在車輪）を備え、起立体が車輪において支持面上に自立して車輪の回動により走行し得るものであることが望ましい。この開閉自立体は、相対する起立体が開いて安定的に自立した状態を維持し得るので、車輪による走行中も、部材同士のがたつきや軋み等及びそれらによる騒音発生が抑えられる。
【発明の効果】
【００１８】
本発明の開閉自立体及び収容カートは、開閉何れの状態においても支持面上に自立し得、開閉作業が容易であり、相対する起立体が開いた状態において安定的に自立状態を維持し得る。
【発明を実施するための最良の形態】
【００１９】
本発明の実施の形態を、図面を参照しつつ説明する。
【００２０】
図面は何れも、本発明の実施の形態の一例としての、折畳フレーム（開閉自立体）を用いた収容カートに関するものである。そのうち図１は開いて自立した状態の斜視図、図２は開いて自立した状態の正面図、図３は閉じて自立した状態の正面図である。
【００２１】
この収容カートは、ゴミ、或いはシーツやタオル等の使用済品等の収容に用いることができるものであり、開閉自立体と、開閉自立体に支持された収容袋Ｇからなる。
【００２２】
折畳フレームは、開閉可能な相対する起立体Ｆ・Ｆと、開閉支持機構Ｏを備える。
【００２３】
折畳フレームを構成する開閉可能な相対する起立体Ｆは、鋼製のパイプからなる。折畳フレームは、開閉支持機構連結部である各両縦脚部Ｆ１の上端部同士が水平部Ｆ２で水平方向に離隔されて連結されてなる上下逆Ｕ字状の起立体Ｆ一対を、両起立体Ｆの水平部Ｆ２同士が平行となるように、相対する起立体Ｆの対応する縦脚部Ｆ１同士において、それぞれ開閉支持機構Ｏを介して連結してなる。各起立体Ｆの両縦脚部Ｆ１の下部は、開閉動作方向に対し垂直な水平方向に設けられた棒状の水平連結部材Ｆｂにより連結されている。両起立体Ｆの水平連結部材Ｆｂは平行状に相対している。各起立体Ｆにおける各縦脚部Ｆ１の下端部には、外周に張り出して側壁や屋内外装置品等の損傷を防ぐための合成樹脂製の円盤状のバンパーＢが設けられ、その下方が自在車輪Ｃにより支持されている。起立体Ｆが自在車輪Ｃにおいて支持面上に自立し、折畳フレームは車輪の回動により走行し得る。
【００２４】
折畳フレームは、相対する起立体Ｆが開いた状態において両起立体Ｆの水平部Ｆ２同士が平行に開いた状態となり、両水平部Ｆ２に設けられたフックＦａにおいて収容袋Ｇの開口部を支持することにより、収容袋Ｇの開口部が開いた状態で収容カートとして使用することができる。
【００２５】
開閉支持機構Ｏは、相対する上方横材Ｕ、相対する下方横材Ｌ、相対する斜材Ｄ、中間縦材Ｖ、及びスライダＳを有してなる。この開閉支持機構Ｏにおいては、前記各部材が次のように互いに回動可能に連結されている。各部材の回動可能な連結における回動軸線の方向は、何れも折畳フレームの開閉動作方向に対しほぼ垂直なほぼ水平方向、すなわち水平連結部材Ｆｂの軸線方向である。
【００２６】
相対する起立体Ｆのそれぞれにおける縦脚部Ｆ１の上部には、相対する上方横材Ｕの各外端部が回動可能に連結され、その各縦脚部Ｆ１の下端付近には、相対する下方横材Ｌの各外端部、及び相対する斜材Ｄの各外端部が、それぞれ回動可能に連結されている。一方の開閉支持機構Ｏにおける下方横材Ｌと他方の開閉支持機構Ｏにおける対応する下方横材Ｌは、複数の棒状の連結体Ｌａにより連結されている。
【００２７】
また、中間縦材Ｖの上端は、上部が側方に張り出した把手状部Ｖ２に形成され、この把手状部Ｖ２の上下中間位置に、相対する上方横材Ｕの各内端部が回動可能に連結され、中間縦材Ｖの下部Ｖ１には、相対する下方横材Ｌの各内端部が回動可能に連結されている。
【００２８】
スライダＳは、中間縦材Ｖの把手状部Ｖ２と下部Ｖ１の間の円筒部Ｖ３に対し上下摺動可能に外嵌保持され、スライダＳには、相対する斜材Ｄの各内端部が回動可能に連結されている。中間縦材Ｖにおける把手状部Ｖ２の下面は、スライダ当接部を構成している。
【００２９】
図１及び図２に示すように相対する起立体Ｆを開いて自立させた場合、開閉支持機構Ｏにおける相対する上方横材Ｕ及び相対する下方横材Ｌがそれぞれ拡開した水平方向姿勢をとると共に、相対する斜材Ｄが各外端部から各内端部に向かって斜め上を向く姿勢をとる。上方横材Ｕの各内端部が把手状部Ｖ２に連結され、下方横材Ｌの各内端部が下部Ｖ１に連結されている中間縦材Ｖは、縦方向（特に垂直方向）姿勢をとる。
【００３０】
内上方に傾斜する斜材Ｄの各内端部が連結されたスライダＳはスライダ当接部を構成する把手状部Ｖ２の下面に上向きに当接して中間縦材Ｖの上端の把手状部Ｖ２を上向きに支持する。そのため、起立体Ｆの傾斜並びに上方横材Ｕ及び下方横材Ｌの各内端部の下降が防がれる。また、上方横材Ｕ及び下方横材Ｌがそれぞれ水平方向姿勢をとるため、それらの内端部は、相対する起立体Ｆ同士を両側から押圧しても上昇し難い。そのため、折畳フレームは相対する起立体Ｆが開いて安定的に自立した状態を維持し得る。
【００３１】
一方の起立体Ｆにおける両縦脚部Ｆ１の下部には、それぞれ少なくとも起立状態と外方に水平状に突出した状態（図１における左方）との間で回動可能な連結器Ｊ（図１では起立状態で示されている）が設けられている。この連結器Ｊを外方に水平状に突出させて、先端部に形成された連結フック部Ｊ１を別の折畳フレームにおける水平連結部材Ｆｂに掛合させることにより、折畳フレーム同士を連結することができる。
【００３２】
なお、上方横材Ｕ及び下方横材Ｌがそれぞれ起立体Ｆに対し水平方向と上向きとの間で回動することを許容する状態で、上方横材Ｕ及び下方横材Ｌを各外端部においてそれぞれ水平方向に支持し得る支持部（例えば水平方向に張り出して水平方向姿勢の上方横材Ｕ又は下方横材Ｌを下側から支持し得る支持部）を各縦脚部Ｆ１に有するものとすると、相対する起立体Ｆが開いて自立した状態において、上方横材Ｕ及び下方横材Ｌがそれぞれの外端部においてその支持部により水平方向に支持されるので、折畳フレームは相対する起立体Ｆが開いて自立した状態をより安定的に維持し得る。そのため、自在車輪Ｃによる走行中も、部材同士のがたつきや軋み等及びそれらによる騒音発生が抑えられる。
【００３３】
相対する起立体Ｆが開いて自立した状態において、中間縦材Ｖの上端の把手状部Ｖ２を引き上げれば、図３に示すように折畳フレームを閉じることができる。把手状部Ｖ２を引き上げることにより、相対する上方横材Ｕ及び相対する下方横材Ｌは、それらの各内端部が上方へ引き上げられて上向きに回動し、互いに閉じた状態の縦方向姿勢をとる。それと共に、斜材Ｄも各内端部が上昇して上向きに回動し、閉じた状態の縦方向姿勢をとり且つスライダＳが上昇する。但し、スライダＳの位置は中間縦材Ｖの上下中間位置となり、中間縦材Ｖに対するスライダＳの相対位置は下降することになる。これにより、折畳フレームは閉じて自立した状態となる。
【００３４】
或いは、相対する起立体Ｆが開いて自立した状態において、下方横材Ｌの内端部付近又は中間縦材Ｖの下部Ｖ１を蹴り上げ（又は押し上げ）て、開閉支持機構Ｏを挟んで相対する起立体Ｆ同士を両側から押圧することによっても、折畳フレームを閉じることができる。下方横材Ｌの内端部付近又は中間縦材Ｖの下部Ｖ１を蹴り上げ（又は押し上げ）ることにより、中間縦材Ｖを介して上方横材Ｕ及び下方横材Ｌの各内端部が連動して上昇し、上方横材Ｕ及び下方横材Ｌは上向きに回動し易くなる。次いで相対する起立体Ｆ同士を両側から押圧することにより上方横材Ｕ及び下方横材Ｌが上向きに回動して縦方向姿勢をとると共に、斜材Ｄも各内端部が上昇して上向きに回動して縦方向姿勢をとり且つスライダＳが上昇し、折畳フレームは閉じて自立した状態となる。従って、折畳フレームを閉じる場合、把手状部Ｖ２を引き上げるか、下方横材Ｌの内端部付近又は中間縦材Ｖの下部Ｖ１を蹴り上げ（又は押し上げ）るかを、操作者との位置関係等に応じ適宜選択し得る。
【図面の簡単な説明】
【００３５】
【図１】開いて自立した状態の斜視図である。
【図２】開いて自立した状態の正面図である。
【図３】閉じて自立した状態の正面図である。
【符号の説明】
【００３６】
Ｂ    バンパー
Ｃ    自在車輪
Ｄ    斜材
Ｆ    起立体
Ｆ１  縦脚部
Ｆ２  水平部
Ｆａ  フック
Ｆｂ  水平連結部材
Ｇ    収容袋
Ｊ    連結器
Ｊ１  連結フック部
Ｌ    下方横材
Ｌａ  連結体
Ｏ    開閉支持機構
Ｓ    スライダ
Ｕ    上方横材
Ｖ    中間縦材
Ｖ１  下部
Ｖ２  把手状部
Ｖ３  円筒部
【図１】
2005153667.tif 000003
【図２】
2005153667.tif 000004
【図３】
2005153667.tif 000005